Podtech/llm-jp-corpus-v4-ja_patent huggingface dataset:
(57)【要約】　　　（修正有）【課題】検査時上眼瞼を挙上して行うため、まばたきできず、目の乾燥や違和感があり、確実な検査が出来なかったが、伸縮性のテープを使い、患者がスムーズに検査できる眼瞼挙上テープを提供する。【解決手段】平面が手持ち杵の形をして，裏面の上部と下部に粘着をつけ，中心部のみ無粘着とし，伸縮性を持たせた。すなわち，ソフトで透明なテープを使い、眉毛にあたる部分を無粘着テープとして、患者の苦痛を取り除いた。【選択図】なし【特許請求の範囲】
【請求項１】
平面が手持ち杵の形をして、裏面の上部と下部に粘着を付け、中心部のみ無粘着とし、伸縮性を特徴とする眼瞼挙上テープである。
【発明の詳細な説明】
【０００１】
【発明の属する技術分野】
本発明は眼底写真又は視野検査時使用する眼瞼挙上テープに関するものである。検査時瞳孔が見えるように上眼瞼を上げ、確実にできるようにし、又、目の乾燥を防ぐため、まばたきができるように伸縮性をとり入れ、眉毛の部分を無粘着テープにして、透明の材質を使い、外見上も問題ないようにした。
【０００２】
【従来の技術】
従来のものは、テープの裏面全体が粘着テープで伸縮性がない。又、表面が濃い肌色のテープであった。
【０００３】
【発明が解決しようとする課題】
上記の従来のものは、接着面が全部粘着テープのため、眉毛の部分に付き、患者に苦痛を与え、伸縮性がないため、まばたきができず、目が乾燥し、検査がスムーズに出来なかったが、本発明は、これらの欠点を解決するため発明されたものである。
【０００４】
【課題を解決するための手段】
本発明は伸縮性のあるテープを使い、眉毛の部分は無粘着テープとした。又、外見上も問題がないように透明なテープを使った。
【０００５】
【発明の実施の形態】
「以下、本発明の実施の形態について説明する」材質はソフトなテープを使う事で、患者に違和感を与えず、伸縮性があるため、まばたきが容易にでき、目の乾燥を防ぎ、検査が確実にできる。
【０００６】
【発明の効果】
以上説明したとおり、眼瞼挙上テープは、容易に上眼瞼を上げる事ができ、眉毛を抜く心配もなく、患者に違和感や苦痛を与えずスムーズに確実に長時間の検査が出来る。
【０００７】
【図面の簡単な説明】
【図１】本発明品の正面図である。
【図２】本発明品の裏面図である。
【図３】本発明品の正面図のＡ−Ａ断面矢視である。
【図４】本発明品の使用状態図である。
【図１】
2004033676.tif 000002
【図２】
2004033676.tif 000003
【図３】
2004033676.tif 000004
【図４】
2004033676.tif 000005
(57)【要約】【課題】収容ケースに重合して収納するウエットティッシュを手を汚さず容易に取り出せるようにする方案を提供する。【解決手段】収容ケースに重合させて収容するウエットティッシュ２に摘み４を設けて容易に容器から取り出せるようにしたものであり、またウエットティッシュを手を汚さないで取り出せるようにする指サック型のウエットティッシュ６として、その上面に摘み７を設けたものである。【選択図】　図２
2004033664.tif 000002
【特許請求の範囲】
【請求項１】
収容ケースに重合させて収容するウエットティッシュに摘み（４、７）を設けたことを特徴とするウエットティッシュ。
【請求項２】
前記ウエットティッシュがシート状または袋状であることを特徴とする請求項１記載のウエットティッシュ。
【発明の詳細な説明】
【０００１】
【発明の属する技術分野】
この発明は、清浄液を含浸させた複数枚のウェットティッシュを重合して収容するケースから容易に１枚ずつ取り出せるようにするウェットティッシュに関する。
【０００２】
【従来の技術】
従来の清浄液等を含浸させたウェットティッシュは、薄い濡れたシート状で平坦に折り畳まれているため取り出し難く、指を使って広げるときにべたつくという不具合があった。また目や耳、鼻、身体のこまやかな部位を清浄するときに濡れた状態であるため広げ難く、手を使うことで不衛生であったり、また大きすぎて使いにくく、使用部分にも無駄があった。
【０００３】
ウェットティッシュを容器から容易に取り出すための方法が色々提案されている。例えば、特開２０００―２７９３４３号公報のものは、開口部に現れるウエットティッシュの中央の折り線箇所をつまんで引き上げることにより２枚折りにしたウエットティッシュを取り出せるようにしたものであり、また特開２００２―１９８５８号公報のものはウエットティッシュを取り出す容器の開口の構造に関して開示する。然しながらこれら公知のものは清浄液等をしみ込ませたウエットティッシュを手を汚さず容易に取り出せるようにするという観点で提案されたものではない。
【０００４】
【発明が解決しようとする課題】
本発明は、収容ケースに重合して収納するウエットティッシュを手を汚さず容易に取り出せるようにする方案を提供する。
【０００５】
【課題を解決するための手段】
収容ケースに重合させて収容するウエットティッシュ２に摘み４を設けて容易に容器から取り出せるようにしたものであり、またウエットティッシュを手を汚さないで取り出せるように指サック型のウエットティッシュ６として、その上面に摘み７を設けたものである。
【０００６】
【発明の実施の形態】
以下、本発明の実施の形態について説明する。図１は本発明のウエットティッシュを収容ケースに収容した状態の斜視図、図２は指サック型のウエットティッシュの斜視図、図３は指サック型のウエットティッシュをケースに収容した斜視図である。
【０００７】
本発明の第１実施例のものは、図１に示すように特開２００２−１９８５８号公報などに開示される携帯用の収容ケース１にシート状のウエットティッシュ２を１０枚ほど重合させて収容するものであって、ケース上面の開閉蓋３を引き外し、開口部に現れるウエットティッシュ２の１端に設けた摘み４を指先で摘み上げてウエットティッシュを引き出すようにしたものである。すなわち摘み４は開口部に現れるウエットティッシュの一方の折畳み端部から突出させて設けたものである。
【０００８】
また図２及び図３に示す第２実施例のものは、収容ケース５に収容されるウェットティッシュ６自体を指先が入る指サック型として、その上面中央に突出させた摘み７を指先で摘み上げて容器から取りだすようにしたものである。尚、この指サック型ウエットティッシュ６は、シート状のウエットティッシュを袋状としてその両端を重合させて接合したものであり、摘み７はその両端からさらに各突出させた突片同士を接合させて起立するように形成したものである。
【０００９】
【発明の効果】
以上のような構成であるから使用者は、開口部に現れる摘み４を摘んで引き上げることよりウエットティッシュを容易に手を汚さず取り出すことが出来る。また指サック型のウエットティッシュの場合は、摘み７を引き上げると折畳まれたものが袋状に広がり指先を嵌め込んで直ぐ使用することが出来るので使い勝手が良く、材料に無駄が無く、衛生的であるなどの効果がある。
【００１０】
特に指サック型のものは、指先に装着し使用するのでシート式に比べ無駄がなく、また細やかな作業を要する部位に直接触れて払拭できるので衛生的であり、使い勝手が良いなどの効果がある。
【図面の簡単な説明】
【図１】本発明のウエットティッシュを収容ケースに収容した状態の斜視図。
【図２】指サック型のウエットティッシュの斜視図。
【図３】指サック型のウエットティッシュをケースに収容した斜視図である。
【符号の説明】
１　携帯用の収容ケース
２　シート状のウエットティッシュ
３　開閉蓋
４　摘み
５　収容ケース
６　指サック型のウエットティッシュ
７　摘み
【図１】
2004033664.tif 000003
【図２】
2004033664.tif 000004
【図３】
2004033664.tif 000005
(57)【要約】　　　（修正有）【課題】防球ネットフェンスやトスバッティングフェンス等を２つ折りにしさらにもう一度折畳むことにより外形を小さくしてワゴン車に簡単に短時間で積載でき開いて設置できる構成を提供すること。【解決手段】枠の辺１、２の中央にヒンジ５、６を設け２つ折りする。更に枠の辺３、４の中央にヒンジ７、８を設け枠面方向に折畳む様にした事。【選択図】図１
2004033688.tif 000002
【特許請求の範囲】
【請求項１】
円形、正方形、長方形の枠を小さく折畳む方法であって枠の面に垂直に枠が重なるように折畳み、更に、枠の面に平行に折畳む事を特徴とする折畳み方法。
【請求項２】
円形、正方形、長方形の枠を小さく折畳む方法であって枠の面に垂直に枠が重なるように折畳み、更に、枠面と適切な角度を有する面方向に折畳む事を特徴とする折畳み方法
【発明の詳細な説明】
【０００１】
【産業上の利用分野】本発明は野球やソフトボール等の防球ネットフェンスやトスバッティングフェンス等をワゴン車などで運搬するために小さく折畳む方法に関するものである。
【０００２】
【従来の技術】約２ｍ×２ｍの枠の大きさの防球ネットフェンスやトスバッティングフェンス等をワゴン車に載せて運ぶにはネットを取り外し、枠を分解する必要があった。
【０００３】
【発明が解決しようとする課題】ネットを枠に取り付けたままワゴン車に短時間で簡単に載るように小さく折畳んだり、開いて設置したりすることを簡単な構造で提供する事にある。
【０００４】
【課題を解決する為の手段】長方形の枠を例に説明する。枠の相対する辺の１、２を各々２等分し２つ折りにした時、辺３、４の枠が重なるようにヒンジ５、６を儲ける。辺３、４を２等分し二つ折りした枠の面に平行方向に折れるようにヒンジ７、８を設ける。
辺３、４に設けたヒンジ７、８の回転面と枠の面とのなす角度を適切に選定することにより辺１と辺２の干渉を無くして小さく折畳むことができる、枠が円形の場合も同様に考えることができる。枠が正方形の場合は対角線の一方を２つ折り用の中心と考えて、２つ折り用のヒンジ９、１０を相対する一対のコーナーに設け他方の対のコーナーに同様に面方向に折畳めるようにヒンジ１１、１２を設ける。これにより２つ折りした後、更に折畳むことが出来る。
【０００５】
【発明の効果】一般的に最も運搬したい防球ネットフェンスやトスバッティングフェンスは約２ｍ×２ｍである為、本発明により短時間で折畳め、ワゴン車で簡単に運ぶことが出来、簡単に開いて設置できる。
【図面の簡単な説明】
【図１】長方形の枠の図である。
【図２】長方形の枠を２つ折りした図である。
【図３】枠面方向に折畳んだ図である。
【図４】適切な角度で選定されたヒンジを設置した枠を折畳んだ図である。
【図５】枠が正方形の場合の折畳み方法の図である。
【符号の説明】
１、２，３、・　　　　　　　　　　　　　　　枠の辺
５、６、７、８、９、１０、１１、１２　　　　ヒンジ
【図１】
2004033688.tif 000003
【図２】
2004033688.tif 000004
【図３】
2004033688.tif 000005
【図４】
2004033688.tif 000006
【図５】
2004033688.tif 000007
(57)【要約】【課題】洗濯機の遠心脱水時の異常振動を感知して動作する安全スイッチにおいて、従来のような固定長の下方突出レバーでは、比較的長い下方突出レバーが洗濯機の組立て時や運搬時や修理補修時に他の部品や装置に当たり、スイッチ自体が破損したり、他の部品や装置を破損することが頻発していた。【解決手段】下方突出レバーはその中間部に、ほぼ９０°の角度に屈曲自在な屈曲回転支持部を設けたことを特徴とする安全スイッチである。または、屈曲回転支持部に代わり、下方突出レバーはその中間部に、長さ調節可能なスライド部を設けたことを特徴とする安全スイッチである。【選択図】　　　　　　　図１
2004033682.tif 000002
【特許請求の範囲】
【請求項１】
洗濯機の遠心脱水運転時の異常振動を感知して動作する安全スイッチにおいて、洗濯機本体の枠体に取り付けて設けた安全スイッチ本体と、洗濯機本体内に防振機構により懸垂支持した脱水受け槽の異常振動を感知して前記安全スイッチを作動させる下方突出レバーを備え、下方突出レバーは安全スイッチ本体の支持点で回転自在に支持し、下方突出レバーの回転支持点の上方にはスイッチ接点の開閉レバー部を併設し、この開閉レバー部を挟んで、可動方向に平行に、相対する２枚の接点板を設けた安全スイッチとし、下方突出レバーはその中間部に、ほぼ９０°の角度に屈曲自在な屈曲回転支持部を設けたことを特徴とする安全スイッチ。
【請求項２】
屈曲回転支持部に代わり、下方突出レバーはその中間部に、長さ調節可能なスライド部を設けたことを特徴とする請求項１に記載の安全スイッチ。
【発明の詳細な説明】
【０００１】
【発明の属する技術分野】
本発明は洗濯機の安全スイッチに関するものである。
【０００２】
【従来の技術】
従来、安全スイッチの下方突出レバーは長さの調節できない、固定長のものであった。
【０００３】
【発明が解決しようとする課題】
従来のような固定長の下方突出レバーでは、比較的長い下方突出レバーが洗濯機の組立て時や運搬時や修理補修時に他の部品や装置に当たり、スイッチ自体が破損したり、他の部品や装置を破損することが頻発していた。
【０００４】
【課題を解決するための手段】
本発明はこの課題を解決しようとするものである。即ち、洗濯機の遠心脱水運転時の異常振動を感知して動作する安全スイッチにおいて、洗濯機本体の枠体に取り付けて設けた安全スイッチ本体と、洗濯機本体内に防振機構により懸垂支持した脱水受け槽の異常振動を感知して前記安全スイッチを作動させる下方突出レバーを備え、下方突出レバーは安全スイッチ本体の支持点で回転自在に支持し、下方突出レバーの回転支持点の上方にはスイッチ接点の開閉レバー部を併設し、この開閉レバー部を挟んで、可動方向に平行に、相対する２枚の接点板を設けた安全スイッチとし、下方突出レバーはその中間部に、ほぼ９０°の角度に屈曲自在な屈曲回転支持部を設けたことを特徴とする安全スイッチである。または、屈曲回転支持部に代わり、下方突出レバーはその中間部に、長さ調節可能なスライド部を設けたことを特徴とする安全スイッチである。
【０００５】
【発明の実施の形態】
以下、本発明の実施例について、図１、図２、図３に基づいて説明する。
図１は本発明の第一の実施例の平面図と側断面図と右正面図を示している。図１に示す安全スイッチ本体１は図１、図３に示すように洗濯機の枠体２に取り付けて設けている。洗濯機本体の防振機構３により懸垂支持した脱水受け槽４の異常振動を感知して、安全スイッチ本体１を作動させる下方突出レバー５は安全スイッチ１の支持点６で回転支持されている。この下方突出レバー５の上方端には、スイッチ接点板７，８の開閉操作をする開閉レバー部９を併設している。スイッチの接点板７，８はこの開閉レバー部９を挟んで開閉レバー部９の可動方向に平行に安全スイッチ本体１内に図１，２のように設けている。従って、脱水受け槽４が異常振動して、右へ大きく振れると、下方突出レバー５は右へ振れて図１の点線位置に動き、安全スイッチ１内の接点板７，８は互いに離れ、洗濯機は安全に脱水回転を停止する。下方突出レバー５はその中間部に、ほぼ９０°の角度に屈曲自在な屈曲回転部１０を設け、下方突出レバー下部１１を図中２点鎖線方向に折り畳みできるような構成になっている。それ故に、洗濯機の組立て時や運搬時や修理補修時には２点鎖線方向に折り畳んで作業することができて、他の部品や装置に当たり、スイッチ自体が破損したり、他の部品や装置を破損することが皆無になった。尚、１３は復帰スプリングを示している。
図２は本発明の第二の実施例の側断面図と右正面図を示している。
この実施例では、屈曲回転部１０に代わり、下方突出レバー５はその中間部に、長さ調節可能なスライド部１２を設けた構成になっている。従って、洗濯機の組立て時や運搬時や修理補修時には点線方向にスライド部１２をスライドさせて下方突出レバー５を短くすることができる。
【０００６】
【発明の効果】
以上説明のように、本発明の洗濯機の安全スイッチは下方突出レバーを洗濯機の組立て時や運搬時や修理補修時には２点鎖線方向に折り畳んで作業することができて、他の部品や装置に当たり、スイッチ自体が破損したり、他の部品や装置を破損することが皆無になった。また、屈曲回転部に代わり、下方突出レバーの中間部に、長さ調節可能なスライド部を設けた構成の安全スイッチの場合も洗濯機の組立て時や運搬時や修理補修時には点線方向にスライドさせて下方突出レバーを短くして作業することができるので、他の部品や装置に当たり、スイッチ自体が破損したり、他の部品や装置を破損することが皆無になった。
【図面の簡単な説明】
【図１】本発明の第一の実施例のスイッチ内部を示す平面図と側断面図と右正面図を示している。
【図２】本発明の第二の実施例のスイッチ内部を示す平面図と側断面図と右正面図を示している。
【図３】図３は安全スイッチを洗濯機の枠体２に取り付けた関係拡大図である。
【符号の説明】
１　安全スイッチ本体
２　洗濯機の枠体
３　防振機構
４　脱水受け槽
５　下方突出レバー
６　回転支持点
７　スイッチ接点板
８　スイッチ接点板
９　開閉レバー部
１０　屈曲回転部
１１　下方突出レバー下部
１２　スライド部
１３　復帰スプリング
【図１】
2004033682.tif 000003
【図２】
2004033682.tif 000004
【図３】
2004033682.tif 000005
(57)【要約】【課題】つえをスチール家具に立て掛けた際、すべって転倒しないようにし、また手離れ防止のためのストラップを収納可能とすることで、ストラップを使用しない時には邪魔にならない杖を提供する。【解決手段】杖の把持部に磁石（１０）とストラップ（４）を内蔵したことを特徴とする。【選択図】　　図２
2004033681.tif 000002
【特許請求の範囲】
【請求項１】
把持部（１）の内部に磁石（１０）とストラップ（４）を内蔵した杖。
【発明の詳細な説明】
【０００１】
【発明の属する技術分野】
この発明は、転倒防止のための磁石と、手離れ防止のためのストラップを内蔵した杖に関するものである。
【０００２】
【従来の技術】
従来、つえを使用しない時、家具等に立て掛けたり、壁のフック等に引っ掛けたりしていた。また、一寸手から放す場合には、つえに取り付けたストラップに手を通してぶら下げていた。その際、ストラップを把持部下の支柱上部に取り付けていた。
【０００３】
【発明が解決しようとする課題】
これには次のような欠点があった。
イ．スチール家具に立て掛けた場合、すべって転倒しやすい。
ロ．ストラップを把持部下の支柱上部に取り付けた場合、ストラップを利用しない時には邪魔である。
本発明は、これらの欠点を解決するために発明されたものである。
【０００４】
【課題を解決するための手段】
把持部（１）の内部に、磁石（１０）とストラップ（４）を内蔵した構造からなる杖
【０００５】
【発明の実施の形態】
以下、本発明の実施の形態について説明する。
イ．管状の支柱（３）上部に、下部が管状になった解放ボタン（６）と固定バネ（８）を挿入したバネ受けスリーブ（７）と、収納バネ（９）を挿入する。
ロ．支柱（３）、支持パイプ（２）、解放ボタン（６）ならびにバネ受けスリーブ（７）には、ストラップ（４）通しのための支柱穴（１４）、支持パイプ穴（１５）、解放ボタン穴（１２）ならびにバネ受けスリーブ穴（１３）を設ける。
ハ．支柱（３）を把持部（１）下部に固定された支持パイプ（２）に固定する。
ニ．ストラップ（４）の端を輪状の固定具（５）に通し、先端を結んで抜けないようにして、収納バネ（９）下端に固定する。
ホ．ストラップ（４）を収納バネ（９）、バネ受けスリーブ（７）、固定バネ（８）、解放ボタン（６）を介して、解放ボタン穴（１２）、バネ受けスリーブ穴（１３）、支柱穴（１４）ならびに支持パイプ穴（１５）を通して把持部（１）端より取り出す。
ヘ．内部を中空にしたキャップ（１１）に磁石（１０）を組み込み、把持部（１）に挿入する。
本発明は以上のような構造になっており、これを使用するときは
普段つえを使用していて、ストラップ（４）が必要と思われる時は、把持部（１）から出ているストラップ（４）の端を引っ張る。その際、解放ボタン（６）を固定バネ（８）を縮める方向に押すことにより、解放ボタン（６）とバネ受けスリーブ（７）に設けられた解放ボタン穴（１２）とバネ受けスリーブ穴（１３）が重なり、ストラップ（４）が通行可能となる。そして収納バネ（９）を縮めながらストラップ（４）が引き出され、使用者の手首が通りかつ適切な長さが取り出された時に解放ボタン（６）を戻す。すると解放ボタン穴（１２）とバネ受けスリーブ穴（１３）がずれ、穴壁によりストラップ（４）が挟まれることにより固定される。
ストラップ（４）を必要としない時は、解放ボタン（６）を押すことにより、ストラップ（４）は解放ボタン穴（１２）とバネ受けスリーブ穴（１３）を通行可能となり、収納バネ（９）が元に戻ろうと伸びることにより、ストラップ（４）が支柱（３）ならびに把持部（１）内に収納される。
また、つえを立て掛けて置く際には、ストラップ（４）を利用してフック等に掛ける以外に、スチール家具であれば、内蔵した磁石（１０）により磁着させる。
【０００６】
【発明の効果】
本発明を使用することにより、ストラップが必要な時のみ引き出しが可能となり、ストラップを使用しない時は収納されているために邪魔になることはない。また、スチール家具であれば磁着することから、すべって転倒することはなくなる。
【図面の簡単な説明】
【図１】本発明の上面図
【図２】本発明の右側面図
【図３】本発明の部分断面図
【図４】本発明のストラップ可動時の部分拡大動作説明図
【図５】本発明のストラップ固定時の部分拡大動作説明図
【符号の説明】
１　把持部
２　支持パイプ
３　支柱
４　ストラップ
５　固定具
６　解放ボタン
７　バネ受けスリーブ
８　固定バネ
９　収納バネ
１０　磁石
１１　キャップ
１２　解放ボタン穴
１３　バネ受けスリーブ穴
１４　支柱穴
１５　支持パイプ穴
【図１】
2004033681.tif 000003
【図２】
2004033681.tif 000004
【図３】
2004033681.tif 000005
【図４】
2004033681.tif 000006
【図５】
2004033681.tif 000007
(57)【要約】【課題】コンパクトでジャマにならない、持ち運びが軽く、丈夫であり、指圧、叩く、振る、回転、等　多種の機能、効果、指圧器でありながら遊具でもある。【解決手段】両手で握ることによって、ふたつの突起（１）ひとつの突起（２）と表と裏に装備したため手のひらによる回転によって簡単に使い分けて各部位を指圧することが出来て、両先端部（３）の丸い尖りで指圧する場合、中央部にある凸凹があるため握りやすく足の裏、手のひらのつぼが簡単に指圧することが出来、グリップ部は上面（４）が曲面、下面（５）が平滑で握った時にどの突起がどこにあるか手の平らの感触で解り、指圧がしやすく、湾曲を用いたため握りやすく振ったり叩いたりする場合におちにくい。左右の指一本づつ出し中央部分の凹みにあてがってバランスを取り動かすと指圧器は回転ができ指を順次変えて行くことによって指の運動、そして遊び感覚で行うと気分転換にもなる遊具でもある。【選択図】　　　図１
2004033687.tif 000002
【特許請求の範囲】
【請求項１】
径３センチ長さ３０センチ位の細長い棒状のもので、中央上部は丸い尖りのふたつの突起（１）中央下部は丸い尖りのひとつの突起（２）左右両端はグリップ部分（４）上部は丸みを持ち、下部（５）は置けて安定する様平らで、上下共グリップ部分の中央は握りやすいよう少しの曲面を持ち、両先端部（３）は丸く尖っていて、コンパクトな両手で握って行う指圧器。
【発明の詳細な説明】
【０００１】
【発明の属する技術分野】
本発明はコンパクトながらふたつの突起、ひとつの突起、両先端部分で身体の部位に判断して指圧が出来、持ち方を変えて叩く、さする等、刺激するマッサージが出来、手首の筋力アップに、捻り反回転が出来、左右の指の使い方で本指圧器を回転しながら指の運動が出来、遊具としても使用出来る指圧器に関するものである。
【０００２】
【従来の技術】
従来からある孫の手は、先端に半円球のゴム状の叩打部分が付いていて、片方には背中がかける様になっていて長くもあり大きく場所を取ったり、機能的でなく、そのひとつの動作しか出来ない等、そして効果がハッキリ分からなかった。
【０００３】
【発明が解決しようとする課題】
上記の問題点を解消し、目的を達成するために本指圧器を両手で持ち身体の部位に合った突起で簡単に指圧、或いは叩く、さする、ことが出来るよう、上部（１）下部（２）両先端部（３）グリップ部（４）（５）を付けた。
【０００４】
【課題を解決するための手段】
中央上部は丸い尖りのふたつの突起（１）中央下部は丸い尖りのひとつの突起（２）左右両端はグリップ部（４）グリップ部は丸みを持ち、下部（５）は下に置けて安定するよう平らで、上下共グリップ部分の中央は握りやすい様少しの曲面を持ち、両先端部（３）は丸く尖っている。
【０００５】
【発明の実施の形態】
発明の実施の形態を実施例に元づき図面を参照して説明する。
図１において、中央部にあるふたつの突起（１）は首筋の間隔の幅、ひとつの突起（２）は首筋の中心の凹みの部分にあたる様、両先端の丸い尖りは、一方は足のつぼにあたる様に一方は手の平にあてる様（１）（２）（３）部分の丸い尖りは肌に押したときに痛くもなく、又、にぶくもないよう適度の丸さであり（６）の凹みも他所に当たらないよう凹ましてあり、グリップ部上部は曲面を持たせ、下部は角を少し丸みを持たせ面は平滑である。
【０００６】
中央部のふたつの突起で後頭部の首筋にあて、骨と骨の間を押しながら頭を後ろにそらせ、それを上から下へ、下から上へそして首筋のつぼである風池、天柱などへも押し、頭の天っぺん（百会）と（１）（２）くり返しながら頭全体を押し、（１）の部分で眉毛の部分、目の回りも押し、顔面も軽く押してゆき、そしてこれらの動作は立っていても、座っていても、寝ながらでも出来る。
【０００７】
両先端部（３）は一方は足の裏のつぼにあて、一方は手の平らのつぼにあて、片手は中央部分を握り安定し、押すと一度に手足の両方のつぼを押すことになり、又、足の裏と手の平らと別々に押しても良いし、足の裏はつぼの集中している所といわれていますので叩いて刺激することが出来る。
【０００８】
手首あるいは肩の筋力の強化として、端を持ち車のワイパーの動きの様に、或いは中心を持ちヘリコプターのプロペラの様に回っている様、左右に動かし、又左右両手でグリップ部分を持ち雑巾を絞る様に力を入れて左右にいろいろ捻ります。
【０００９】
片方のグリップ部を持ち身体の疲労している部分、凝っている部分をイタ気持ちいい程度に軽く叩きます。
【００１０】
手や足の指の間に指圧器の中央部の細い部分を差し入れて指と指を広げるように左右に動かし、指の間を順次変えて行き刺激することができる。
【００１１】
突起部分で手、足、腰などの筋肉或いは筋、その辺りをこするマッサージが出来る。
【００１２】
両方の指一本づつ出して中央部の凹みの所にあてがってバランスを取り動かすとくるくると回すことが出来、出来たら順次指を変えてゆき手の指の運動、マッサージが出来、指を刺激しながら気分転換ができオモチャとしても楽しめる、遊具でもある。
【００１３】
【発明の効果】
コンパクトでそばに置いておける為、合い間をみて行う事ができ、首筋の凝り肩こり、目がしょぼしょぼする目の疲れ、頭痛、頭が重い、手首の筋力アップ、気分転換……等、少しづつ行うことで症状が軽減し効果が出てきます。
【図面の簡単な説明】
【図１】指圧器の立面図である
【図２】指圧器の平面図である
【図３．４】指圧器の側面図である
【符号の説明】
１　　ふたつの突起
２　　ひとつの突起
３　　両先端の丸い尖り
４　　上面グリップ部
５　　下面グリップ部
６　　凹み
【図１】
2004033687.tif 000003
【図２】
2004033687.tif 000004
【図３】
2004033687.tif 000005
【図４】
2004033687.tif 000006
(57)【要約】【課題】土や埃で汚れた犬などのペットの足の裏を一度に、細部まで洗うことができるようにする。【解決手段】容器１が湾曲面となった容器内面に、長い毛２ａ短い毛２ｂを植毛し、毛の長さは容器の深さより短くし、長い毛２ａ短い毛２ｂの比を１．１．２とした。【選択図】　　　図２
2004033686.tif 000002
【特許請求の範囲】
【請求項１】
内面が湾曲面となった容器の前記内面に植毛してなり、かつ前記植毛した毛の長さは、容器の深さより短くしたことを特徴とするペットの足洗いブラシ。
【請求項２】
前記植毛した毛は、長い毛と短い毛とからなる請求項１記載のペットの足洗いブラシ。
【請求項３】
前記植毛した毛は、長い毛の群れと短い毛の群れとからなる請求項１記載のペットの足洗いブラシ。
【請求項４】
前記短い毛と長い毛の比は１：１．２とした請求項２又は３記載のペットの足洗いブラシ。
【発明の詳細な説明】
【０００１】
【発明の属する技術分野】
この発明は、室内で飼われている犬などのペットが、散歩・外出から帰ったときに、土や埃で汚れた足の裏、爪に入った汚れを洗うのに使用するペットの足洗いブラシに関するものである。
【０００２】
【従来の技術】
従来のブラシとしては、特開平１０−１０８２２号広報に開示されている爪ブラシがある。このブラシは適宣の深さとし、一方を解放した容器形状からなるカバー体を合成樹脂形成により構成し、前記カバー体の内側略中央部に爪の内側清掃用ブラシを取り付け、前記ブラシの先端がカバー体の外縁より内側に位置している構造のものである。
【０００３】
しかし、従来の爪ブラシは、ブラシの部分が小さく、部分的に洗うことはできるが、一度にペットなどの足の裏全体を細部まで洗うことができないという問題点がある。
【０００４】
【発明が解決しようとする課題】
この発明は、このような従来の問題点を解決するためになされたもので、犬などのペットの足によくフィットして、細部まで洗えるペットの足洗いブラシを提供することを目的とする。
【０００５】
【課題を解決するための手段】
上記目的を達するため、本発明が提供するペットの足洗いブラシは次の（１）〜（４）記載のものである。
（１）内面が湾曲面となった容器の前記内面に植毛し、植毛した毛の長さは、容器の深さより短くしたペットの足洗いブラシ（以下、第１のブラシという）。
（２）第１ブラシの植毛した毛を、長い毛と短い毛とより構成したペットの足洗いブラシ。
（３）第１のブラシの植毛した毛を、長い毛の群れと短い毛の群れとより構成したペットの足洗いブラシ。
（４）第２又は第３のブラシの短い毛と長い毛の比を１：１．２としたペットの足洗いブラシ。
【０００６】
【発明の実施の形態】
以下、この発明の実施の形態を実施例によって、図１及び図２を参照しながら、説明する。
【０００７】
【実施例】
図１において、１は内面が湾曲面となっている容器、２はその内面に植毛した毛である。この毛２は容器１の深さより短くなっている。３は容器１の握り部である。この握り部３は指の間に挟んで容器を保持するためのものである。毛２はこの実施例では比較的長い毛の群２ａと比較的短い毛の群２ｂより構成されている。両者２ａ、２ｂの比は１：１．２となっている。なお、長い毛と短い毛は「群」になっていなくとも良い。
【０００８】
実施例のペットの足洗いブラシは、上述のような構造となっているのでペットの足を洗うときは次の要領で洗う。
（１）まずペットの足洗いブラシの容器１に水を入れる。
（２）ペットの足洗いブラシの毛２の上にペットの足をのせて、容器１を前後、左右に動かす。このとき、毛の先端が水の水面下にあるので、ペットの足が水に浸った状態で洗うことができる。
（３）要すれば、水を換えて、再度洗浄してもよい。
（４）洗い終えたら容器１の水を捨て、すすいで、逆さにして水を切る。
【０００９】
【発明の効果】
この発明のペットの足洗いブラシは、上述のような構成となっているので、犬などのペットの足の裏によくフィットし、ブラシが容器の深さより短いため足洗いブラシを使用時に容器に水を入れて洗うことで常にペットの足の裏が水に浸った状態で洗え、爪に入った汚れも落とすことができ、洗いとすすぎが同時にできる。
【図面の簡単な説明】
【図１】実施例のペットの足洗いブラシの平面図である
【図２】図１のＡ−Ａ線の面断面図である。
【符号の説明】
１　　容器
２　　毛
３　　握り部
【図１】
2004033686.tif 000003
【図２】
2004033686.tif 000004
(57)【要約】【課題】人体内に留置したカテーテルを体表において固定するに用いる固定板を替えることなく固定方向を変更できる固定板を提供する。【解決手段】固定板１の中央部やや後寄りの位置に、底面から上表面に連通する縦の挿通孔２を穿設するとともに、該挿通孔２のほぼ中央部から固定板１の前端へ連通する横の挿通孔３を穿設し、挿通孔３の上端部から固定板１の上表面に至るスリット４を穿設する。また、前記縦の挿通孔の上半一方側部及び横の挿通孔の一部上部を穿って補助孔を設け、横の挿通孔の一方側端部及び補助孔から前記固定板の側面に至るスリットを穿設する。【選択図】　　　　図１
2004033650.tif 000002
【特許請求の範囲】
【請求項１】
固定板１は、中央部やや後端寄りの位置に、該固定板１の底面から上表面へ連通する挿通孔２を穿設するとともに、該挿通孔２のほぼ中央部から固定板１の前端へ連通する挿通孔３を穿設し、該挿通孔３の上端部から固定板１の上表面に至るスリット４を穿設したことを特徴とするカテーテル用固定板
【請求項２】
固定板６は、中央部やや後端寄りの位置に、該固定板６の底面から上表面へ連通する挿通孔７を穿設するとともに、該挿通孔７のほぼ中央部から固定板６の前端へ連通する挿通孔８を穿設し、前記挿通孔７の上半一方側部及び挿通孔８の一部上部を穿って補助孔９を設け、挿通孔８の一方側端部及び補助孔９から固定板６の側面に至るスリット１０を穿設したことを特徴とするカテーテル用固定板
【発明の詳細な説明】
【０００１】
【発明が属する技術分野】
本発明は、経皮的に人体内に留置するカテーテルを体表面で固定するために用いる、固定板の改良に関するものである。
【０００２】
【従来の技術】
経皮的に人体内にカテーテルを留置する手技は、種々の医療目的のために施術されるが、体内におけるカテーテルを固定するには、例えばカテーテル先端近傍に設けられたバルーンを膨張させるなどの手段が取られる。また、体外に出ているカテーテル及びその基端部を固定するには、体表において粘着テープで止着したりされるが、一時的な固定手段に止まり、長期間カテーテルを留置する場合には適切ではない。そこで、カテーテルを体表において固定するに用いる固定具が提案されているが、医療上最も重要である清潔操作を可能にし、かつ、患者の負担を軽減するには、該固定具の操作が容易であり、固定及びその解除に手間がかからないことが必要である。例えば、従来提案されている固定具として、固定具内にカテーテルを保持固定するための通路が、カテーテルの内腔を閉塞させない程度に、固定具の底面から縦方向に貫通し、又は縦方向から中途で曲げられ横方向（底面に平行）に貫通したもの、更に後者通路の上部には通路に沿ってスリットが設けられているものがある。これには、カテーテルを前記スリットを利用して通路に嵌め込み、該通路の外面に専用の帯状物を締着して固定する手段も取られる。しかし、締着後は帯状物を取り外すことが容易ではなく、また、例えば縦方向の固定位置から横方向への固定位置変更には固定具をも変更する必要を生じ、手間がかかるとともに、患者の負担も大きかった。
【０００３】
【発明が解決しようとする課題】
解決しようとする問題点は、前記のように従来のカテーテル固定具が、縦方向又は横方向のいずれか一方にのみ体表におけるカテーテルの位置固定が可能であるため、医療の目的に従い、例えば横方向に固定されていたカテーテルを栄養剤注入目的で縦方向に変更することができず、固定具を変更する施術の手間がかかること及びその施術の際の患者の負担は健常者でないだけに格段に大きかった点を改善するにある。
【０００４】
【課題を解決するための手段】
本発明は、人体内に留置したカテーテルを体表で固定する器具を板体に形成し、該板体の底面から上表面に達するカテーテル挿通孔を貫通させて縦方向に固定できるようにし、併せて該挿通孔のほぼ中央部から板体の前端へ連通する挿通孔を穿設して横方向にも固定できるように形成した。この場合のカテーテルの挿着脱を容易にするため、以下に詳述するとおりスリットなどを設ける。
【０００５】
【発明の実施の形態】
本発明の１実施例を図面により説明する。図１は、本発明の実施例の概要を示す平面図、図２は、側面説明図、図３は、正面図である。固定板１は、中央部やや後寄りの位置に固定板１の底面から上表面へ連通する挿通孔２を穿設するとともに、挿通孔２のほぼ中央部から固定板１の前端へ連通する挿通孔３を穿設し、挿通孔３の上端部から固定板１の上表面に至るスリット４を穿設する。カテーテルを固定板１の縦方向に固定するには、前記挿通孔２に挿通してその摩擦抵抗による他、適宜の補助具を用いる。また、横方向に固定するには、前記スリット４を介して挿通孔３に嵌着すればよく、なお、必要により固定を強固にするときは、帯状物等適宜の補助具を用いる。図４及び図５は固定板１にカテーテルを挿着した場合の説明図である。図５に示すように挿通孔２と挿通孔３とが鋭角をなすように形成すると、挿着したカテーテルがキンクし、体液などがカテーテル基端部方向に逆流することを防ぐ効果があるので選択してよいが、もとより必須のものではない。
【０００６】
【実施例】
図６は、他の実施例の概要を示す平面図、図７は、側面説明図、図８は、正面図である。固定板６は、中央部やや後寄りの位置に固定板６の底面から上表面へ連通する挿通孔７を穿設するとともに、挿通孔７のほぼ中央部から固定板６の前端へ連通する挿通孔８を穿設し、挿通孔７の上半一方側部及び挿通孔８の一部上部を穿って補助孔９を設け、挿通孔８の一方側端部及び補助孔９から固定板６の側面に至るスリット１０を穿設する。カテーテルを固定板６の縦方向に固定するには、前記挿通孔７に挿通することは、前記実施例と同様にすればよく、また横方向に固定するには、前記補助孔９及びスリット１０を介して挿通孔８に嵌着すればよく、なお、必要により適宜の補助具を用いる。
【０００７】
【発明の効果】
以上説明したように本発明の固定板は、医療の目的に従い、カテーテルの体表における固定方向を変更する必要を生じた場合にも固定板自体を他のものに替えることなく行い得るので、施術を容易にし、患者の負担を軽減することができる。
【図面の簡単な説明】
【図１】実施例の概要を示す平面図である。（実施例１）
【図２】側面説明図である。（実施例１）
【図３】正面図である。（実施例１）
【図４】固定板１にカテーテルを挿着した場合の説明図である。（実施例１）
【図５】固定板１にカテーテルを挿着した場合の説明図である。（実施例１）
【図６】他の実施例の概要を示す平面図である。（実施例２）
【図７】側面説明図である。（実施例２）
【図８】正面図である。（実施例２）
【符号の説明】
１　　固定板
２　　挿通孔
３　　挿通孔
４　　スリット
６　　固定板
７　　挿通孔
８　　挿通孔
９　　補助孔
１０　スリット
【図１】
2004033650.tif 000003
【図２】
2004033650.tif 000004
【図３】
2004033650.tif 000005
【図４】
2004033650.tif 000006
【図５】
2004033650.tif 000007
【図６】
2004033650.tif 000008
【図７】
2004033650.tif 000009
【図８】
2004033650.tif 000010
(57)【要約】【課題】カードケースや財布などの中に入れて携帯でき、また、広告用やサービス用として利用できる爪楊枝の提供。【解決手段】数本の爪楊枝と　それを支える枠とを樹脂製形などで薄く一体成型することにより、この爪楊枝をカードケースや財布に入れて携帯してもバラバラにならず直ぐに取り出すことが出来き、また、爪楊枝の枠に文字を打刻したり印刷することによって、広告用やサービス用として提供できる爪楊枝を実現する。【選択図】図１
2004033697.tif 000002
【特許請求の範囲】
【請求項１】
数本の爪楊枝と　それを支える枠とを薄く一体成型した、携帯用の爪楊枝。
【発明の詳細な説明】
【０００１】
【発明の属する技術分野】本発明は、数本の爪楊枝と　それを支える枠とを薄く一体成型した、携帯用の爪楊枝に関する。
【０００２】
【従来の技術】爪楊枝は、細長い円柱の先端を鋭く尖らした形状が、周知である。
【０００３】また、梱包形態は、円筒形の筒に数百本まとめて梱包されているか、一本ずつ紙の袋に入っている。
【０００４】
【発明が解決しようとする課題】ところで、従来の爪楊枝を携帯する場合、そのまま数本をポケット等に入れた場合、爪楊枝が体に刺さったり、爪楊枝が折れてしまったりする。
【０００５】また、カードケースや財布に入れて携帯する場合、カードケースや財布の底に入ってしまい取り出し難い。或いは、カードケースや財布を開けたときに落とす事がある。
【０００６】
【課題を解決するための手段】本発明は、上記課題を解決するために下記の技術的手段を採用した。
【０００７】本発明は、数本の爪楊枝と　それを支える枠とを薄く一体成型した構造を　特徴とする。
【０００８】本発明によれば、爪楊枝は、それを支える枠と一体であるため、自由に動き回ることが無い。
【０００９】また、大きさと厚みは、キャッシュカードやクレジットカード程度か、それ以下であるため、カードケースや財布に入れても邪魔にならず、爪楊枝が、カードケースや財布の底に入ってしまうことが無く、カードケースや財布を開けたときに落とす事もない。
【００１０】
【発明実施の形態】本発明の実施の形態を　例を挙げて説明すると、図１は本発明を実施した、枠と一体に薄く成型加工された爪楊枝である。
【００１１】１は爪楊枝を支える枠であり、爪楊枝を支えると共に　爪楊枝の先端を保護している。
【００１２】２は爪楊枝本体であり、先端を尖らしている。
【００１３】３は爪楊枝本体と枠を切り離す為の溝であり、この部分で爪楊枝の厚みが、本体より薄くなっている。または、図３の４も３と同様に爪楊枝本体と枠を切り離す為の溝である。
【００１４】この溝は、一本ずつ枠から手で切り離し可能な程度の　深さと細さになっている。
【００１５】大きさと厚みは、キャッシュカードやクレジットカード程度か、それ以下である。
【００１６】また、加工方法は、樹脂成型などを用いて一体成型されている。或いは、フイルムなどを切断するか、プレスで抜いて加工することが可能である。
【００１７】爪楊枝を使用する場合は、手で一本ずつ爪楊枝の先端部分を切り離し用の溝４で切り離し、次に爪楊枝の根元部分を　切り離し用の溝３で数回折り曲げて切り離して使用する。
【００１８】厚みが　厚紙程度の場合は、図２の断面図で　爪楊枝本体２の先端を厚み方向で尖らす必要は無い。
【００１９】
【発明の効果】
本発明によれば、上記のように枠と一体に薄く成型加工された爪楊枝であるため、カードケースや財布に入れて携帯しても嵩張らず、また爪楊枝を　カードケースや財布から取り出す場合は、枠を掴み簡単に取り出すことが出来る。
【００２０】また、図４のように爪楊枝の本数を少なくして、枠を大きく取り、その枠の上に文字を刻印するか印刷することによって、広告の媒体として使用することが出来る。また、各種のサービス用として使用することも出来る。
【００２１】図５は、本発明の爪楊枝の本数を少なくして、枠に文字を刻印もしくは、印刷するためのスペースを設けた、小型の携帯用爪楊枝である。図６は、本発明の爪楊枝の本数を少なくし、また、枠も小さくした例であり、どちらも飲食店やホテルなどでサービス用として使用できる。
【００２２】また、どの大きさの爪楊枝も安価に製造できるため、携帯用、サービス用、広告用として利用できる。
【図面の簡単な説明】
【図１】本発明の平面図である。
【図２】図１のＡ−Ａ断面図である。
【図３】爪楊枝先端の拡大図である。
【図４】爪楊枝の本数を少なくして枠を大きくした参考図である。
【図５】図４の枠の部分を少し小さくした参考図である。
【図６】爪楊枝の本数を少なくして枠も小さくした参考図である。
【符号の説明】
１　　枠
２　　爪楊枝本体
３　　爪楊枝根元切り離し用の溝
４　　爪楊枝先端切り離し用の溝
【図１】
2004033697.tif 000003
【図２】
2004033697.tif 000004
【図３】
2004033697.tif 000005
【図４】
2004033697.tif 000006
【図５】
2004033697.tif 000007
【図６】
2004033697.tif 000008
(57)【要約】【課題】現状の墓石建立は、住宅密集地から郊外に集中し、交通の便も悪く、価格も高額化している。核家族の墓守、墓番も大変である。このような問題を解決する。【解決手段】遺骨粉末収納墓石であって、上面に、香炉用穴３、蝋燭用穴２、花立用穴４のうち、少なくとも花立用穴４を設けた陶器、磁器、金属、合成樹脂または素焼製の墓石本体１と、その中に粉末化した遺骨をいれた容器５を収納してなる遺骨粉末収納墓石である。【選択図】　　　　図４
2004033692.tif 000002
【特許請求の範囲】
【請求項１】
遺骨粉末収納墓石であって、上面に、香炉用穴、蝋燭用穴、花立用穴のうち、少なくとも花立用穴を設けた陶器、磁器、金属、合成樹脂または素焼製の墓石本体と、その中に粉末化した遺骨をいれた容器を収納してなる遺骨粉末収納墓石。
【発明の詳細な説明】
【０００１】
【発明の属する技術分野】
本発明は、遺骨を粉末にして収納し、室内の身近な場所に安置することができる遺骨粉末収納墓石に関するものである。
【０００２】
【従来の技術】
従来の墓石は、石材を彫刻して墓石とし、その地下にコンクリートの収納庫をつくり、骨つぼに入れた遺骨を納めている。
【０００３】
【発明が解決しようとする課題】
しかし、この種の墓石には、次のような問題がある。
（１）墓石は、○○家の墓と、一家族単位の構成になるため、大型化し、建立場所も一定の面積が必要になる。その上、様々な施設がつけられ、その諸費用も墓石代金に加算されて高価格の原因になっている。
（２）墓石建立地は、郊外で坂道も多い山林を切りひらいた開発地のため、交通の便が悪くなる。
（３）核家族の現状、墓守、墓番が一部の近親者の負担となっている。
本発明は、上記問題点を解決することを目的をする。
【０００４】
【課題を解決するための手段】
上記目的を達成するために、本発明が提供する遺骨粉末収納墓石は、上面に、香炉用穴、蝋燭用穴、花立用穴のうち、少なくとも花立用穴を設けた陶器、磁器、金属、合成樹脂または素焼製の墓石本体と、その中に粉末化した遺骨をいれた容器を収納してなるものである。
【０００５】
【発明実施の形態】
本発明の実施の形態を実施例によって図面を参照しながら説明する。
図１は、実施例の遺骨粉末収納墓石の平面図、図２は、図１の正面図、図３は、図１の側面図、図４は、図１のＡ−Ａ断面図、図５は、図１のＢ−Ｂ断面図、図６は、遺骨収骨容器の平面図、図７は、遺骨収骨包紙の平面図である。
【０００６】
図において、１は、墓石本体、２は、墓石本体の上面に窪みを設けてつくった水を入れる蝋燭用穴、３は、墓石本体の上面に窪みを設けてつくった香炉用穴、４は、墓石本体の上面に窪みを設けてつくった水を入れる花立用穴である。
【０００７】
５は、墓石本体１の中に入れた、粉末化した遺骨が入っている遺骨収骨容器（以下、単に容器という）である。
【０００８】
６は、墓石本体１の下面側に設けた、前記容器５を入れる穴で、容器５は、この穴６から入れられている。上記穴６は、容器５を入れることができる大きさになっている。この実施例は、墓石本体１の幅Ｌは３０ｃｍ、奥行Ｄは２０ｃｍ、高さＨは、１６ｃｍである。容器５は、直径８ｃｍ、高さ２０ｃｍのガラス製の瓶である。
【０００９】
７は、墓石本体１の穴６の蓋である。８は、穴６と容器５の間に充填した砂である。蓋７は、穴６の開口部に接着剤で固定されている。墓石本体１は、素焼製である。なお、墓石本体１は、陶器、磁器、金属、合成樹脂に変えてつくることができる。図７は、遺骨収骨包紙を示し、容器５に代えて使うことができる。
【００１０】
【発明の効果】
以上説明したように、本発明によれば、上述のような構成としたので、次の（１）〜（３）に記載の効果を奏する。
（１）遺骨を粉末化して収納することで、従来の墓石より小型になり価格も低価格になる。
（２）墓石が小型になり、室内に無理なく安置できる。
（３）残された家族が、身近に置いて気軽に、気が向いたときに供養することができる。
【図面の簡単な説明】
【図１】実施例の遺骨粉末収納墓石の平面図である。
【図２】図１の正面図である。
【図３】図１の側面図である。
【図４】図１のＡ−Ａ断面図である。
【図５】図１のＢ−Ｂ断面図である。
【図６】遺骨収骨容器の平面図である。
【図７】遺骨収骨包紙の平面図である。
【符号の説明】
１　墓石本体
２　蝋燭用穴
３　香炉用穴
４　花立用穴
５　遺骨収骨容器
６　穴
７　蓋
８　砂
【図１】
2004033692.tif 000003
【図２】
2004033692.tif 000004
【図３】
2004033692.tif 000005
【図４】
2004033692.tif 000006
【図５】
2004033692.tif 000007
【図６】
2004033692.tif 000008
【図７】
2004033692.tif 000009
(57)【要約】【課題】（イ）書類からの情報を、パソコンへ文字入力する際、それら書類の置く場所が設置しにくい。（ロ）書籍からの情報を，パソコンへ文字入力する際、その書類の置く場所を設置しにくい。（ハ）書籍や書類からの情報を、パソコンへ文字入力する際、その書類の視点位置が合わせにくい。【解決手段】（イ）独立した、立て掛け式の、書籍・書類立てにする。（ロ）回転軸を利用して角度を鋼節し，固定ネジを設けて角度を固定し重量物にも耐える。（ハ）クリップを利用して書籍や書類を固定する。（ニ）横スライドを利用して開いた書籍の両サイドの曲がりを防止する。【選択図】　図６
2004033694.tif 000002
【特許請求の範囲】
【請求項１】
（イ）１・２段階スライド伸縮板（１０、１１）による伸縮機能で、各サイズの書籍や書類に対応出来る。
（ロ）横スライド伸縮板（１２）による伸縮機能で、開いた書籍の大小にも対応する。
（ハ）回転軸（１７）の固定ネジ（５）による視点の角度調節機能と角度の固定機能を有する。
上記機能を特徴とするパソコン専用伸縮・角度調節付書籍・書類立て装置。
【発明の詳細な説明】
【０００１】
【発明の属する技術分野】
書籍や書類などからの情報を見て、パソコンへ文字入力する際の、書籍・書類の設置場所を簡単に設けることが出来、又視点位置を調節できるので文字入力がしやすくなる。
【０００２】
【従来の技術】
パソコン用のキーボードの直前に、たてかけ式の書籍・書類立てが無い。
【０００３】
【発明が解決しようとする課題】
（イ）従来、書類からの情報をパソコンへ文字入力する際、それらを置く場所が設置しにくい、又視点の位置が合わせにくい。
（ロ）書籍からの情報を，パソコンへ文字入力する際、書籍などの重量があり厚みが有り又開いた状態で置く場所が設置しにくい、又視点の位置が合わせにくい。
【０００４】
【課題を解決するための手段】
（イ）独立した伸縮の出来る、たてかけ式の書籍・書類立てにする。
（ロ）回転軸を利用して、角度を調節し、固定ネジを設けて角度を固定し重量物にも耐える。
（ハ）クリップを利用して書籍や書類を固定する。
（ニ）横スライド板を利用して書籍の開きに対応する。
【０００５】
【発明の実施の形態】
（イ）材質はプラスチック製、又は軽金属製（軽量化のため）を材料として使用する。
（ロ）書籍・書類を立て掛けるためのスライド伸縮板収納盤（２）を基盤（１）に取り付け内部に１段階スライド伸縮板（１０）、２段階スライド伸縮板（１１）等を収納し伸張して書籍・書類の受板とする。
（ハ）縦方向には１・２段階スライド伸縮板（１０、１１）を設けて縦方向の書籍・書類の各サイズに対応出来る様に伸縮させる。
（ニ）横方向には横スライド伸縮板（１２）を設けて横方向の書籍・書類の各サイズに対応できるように伸縮させる。
（ホ）回転軸（１７）と固定ネジ（５）を付け角度を調節して視点の微調整を行い固定する。
（ヘ）１段階スライド伸縮版（１０）の上部に書籍・書類を固定するためのクリップを付ける。
以上のように各部を組み立て使用出来る様にする。
【０００６】
【発明の効果】
従来、書籍や書類などからの情報を，パソコンへ文字入力する際、それら書籍・書類の設置場所に悩まされていたが、本発明品のような独立型パソコン専用，書籍・書類立てがあれば、利用者は，設置場所を簡単に設けることが出来、又視点位置も自在に調節出来るので，文字入力がしやすくなり、作業効率の向上に効果を発揮できる。
【図面の簡単な説明】
【図１】断面図
【図２】斜視図
【図３】斜視図（スライド伸縮板収納盤を開く）
【図４】斜視図（１段階スライド伸縮板が伸長）
【図５】斜視図（１・２段階縦スライド伸縮板全開）
【図６】斜視図（縦・横スライド伸縮板全開）
【符号の説明】
１．　基盤
２．　スライド伸縮板収納盤
３．　指差口
４．　書籍及び書類の受け板（開閉式）
５．　固定ネジ
６．　ゴム敷き（固定補助）
７．　止具
８．　クリップハンドル
９．　クリップ（先端はゴム質になっている）
１０．１段階スライド伸縮板
１１．２段階スライド伸縮板
１２．横スライド伸縮板
１３．取っ手穴
１４．バネ
１５，１６，１７回転軸
【図１】
2004033694.tif 000003
【図２】
2004033694.tif 000004
【図３】
2004033694.tif 000005
【図４】
2004033694.tif 000006
【図５】
2004033694.tif 000007
【図６】
2004033694.tif 000008